(57)【要約】【課題】本発明は、有頂の２重筒構造を有する計量キャップにおいて、外観等のデザイン性を損なうことなく、計量可能な容量を大きくする構造の創出を課題とするものである。【解決手段】有頂２重筒状の合成樹脂製の計量キャップで、頂壁から垂下設され、容器本体の口筒部に外嵌しキャップとしての機能を発揮する円筒状の内筒と、この内筒の外側に頂壁の周縁から垂下設する外装筒を有し、内筒の周壁を貫通する横孔を形成して、内筒の内側と外側を連通し、外装筒の内側全体で内容液を計量する構成とする。【選択図】図１
2008247471.tif 000002
【特許請求の範囲】
【請求項１】
有頂２重筒状で、頂壁(2)から垂下設され、容器本体の口筒部に外嵌してキャップとしての機能を発揮する円筒状の内筒(3)と、該内筒(3)の外側に前記頂壁(2)の周縁から垂下設する外装筒(7)を有し、前記内筒(3)の周壁を貫通する横孔(4)を形成して、内筒(3)の内側と外側を連通し、前記外装筒(7)の内側全体で内容液を計量する構成とした合成樹脂製の計量キャップ。
【請求項２】
射出成形可能に、内筒(3)の周壁基端部が位置する所定箇所において頂壁(2)を貫通する縦孔(5)を形成し、該縦孔(5)を介して前記周壁基端部に欠部(6)を形成する構成とし、該欠部(6)を横孔(4)とし、前記頂壁(2)に形成される縦孔(5)をシール部材でシールする構成とした請求項１記載の計量キャップ。
【請求項３】
頂壁(2)に形成される縦孔(5)を、頂壁(2)上に積載嵌合するシール板片(21)でシールする構成とした請求項２記載の計量キャップ。
【請求項４】
平板状の基板(25)から内筒(3)を垂下設した内筒体(1c)と、頂壁(2)の周縁から外装筒(7)を垂下設した外装体(1b)の二つの部材から構成し、前記内筒体(1c)は、射出成形可能に、内筒(3)の周壁基端部が位置する所定箇所において、前記基板(25)を貫通する縦孔(26)を形成し、該縦孔(26)を介して前記周壁基端部に欠部(6)を形成する構成とし、該欠部(6)を横孔(4)とし、前記内筒体(1c)を外装体(1b)に嵌入し、前記基板(25)に前記頂壁(2)を積重して前記縦孔(5)をシールした状態で、内筒体(1c)と外装体(1b)を嵌合固定する構成とした請求項１記載の計量キャップ。
【請求項５】
後加工で横孔(4)を形成した請求項１記載の計量キャップ。
【請求項６】
内筒(3)を、内周面に螺条(10)を形成したネジキャップとした請求項１、２、３、４または５記載の計量キャップ。
【発明の詳細な説明】
【技術分野】
【０００１】
本発明は、容器本体の口筒部に外嵌するキャップ機能と共に、この容器本体内の内容液の注出に際し、その注出量を計量する機能を備えた合成樹脂製の計量キャップに関するものである。
【背景技術】
【０００２】
特許文献１には、ネジキャップ機能を有するキャップ本体の内側に、壜体の口筒部内に進入可能で、計量機能を有する計量筒体を配設し、有頂二重円筒状とした計量キャップに係る発明が記載されている。
【０００３】
また、キャップのデザインを円筒状以外の形状にする場合等には円筒状のネジキャップの外側にそのデザインにあった形状の外筒を設け、２重筒構造とする。
そして、このようなタイプのキャップを内容液の注出量を計量する計量キャップとして使用する場合には、通常は内側の円筒状のネジキャップに内容液を注いでその計量を実施する。
【特許文献１】特開平８−１１３２５２号公報
【発明の開示】
【発明が解決しようとする課題】
【０００４】
ここで、計量する量が内側のネジキャップ内ではその容量が不足する場合、ネジキャップの径を大きくするか、キャップの全高を高くする方法があるが、デザインに影響し、キャップの大きさや、容器本体の径も必要以上に大きくなってしまう。また、ネジキャップの内側に口筒部内に進入する長い筒状の部分を設ける方法もあるが、構造が複雑になるし、中栓付きの場合にはこのような構造は採用できない。
【０００５】
そこで、本発明は有頂の２重筒構造を有する計量キャップにおいて、外観等のデザイン性を損なうことなく、計量可能な容量を大きくする構造の創出を課題とするものである。
【課題を解決するための手段】
【０００６】
上記技術的課題を解決する本発明の内、請求項１記載の発明の手段は、
有頂２重筒状の合成樹脂製の計量キャップで、
頂壁から垂下設され、容器本体の口筒部に外嵌してキャップとしての機能を発揮する円筒状の内筒と、この内筒の外側に頂壁の周縁から垂下設する外装筒を有すること、
内筒の周壁を貫通する横孔を形成して、内筒の内側と外側を連通し、外装筒の内側全体で内容液を計量する構成とすること、にある。
【０００７】
上記、請求項１記載の構成により、内筒の内側と外側を横孔で連通することにより、内筒の内側を含む、外装筒の内側全体で内容液を計量することができ、外観等のデザイン性を損なうことなく、計量可能な容量を十分大きく確保することができる。
【０００８】
また、計量キャップの内側のどの部分に内容液を注いでも、この横孔を通して、液レベルを一定にすることができ、所定の量の計量が可能となる。
【０００９】
横孔の大きさ、形成個数、形成高さ位置は、計量液面、内容液の流動性、内筒の強度、口筒部との組付き強度、そして成形性等を考慮して決めることができ、一般的には等中心角度位置に数箇所、口筒部との組み付きのための螺条や、係止部を避けて、周壁の基端部近傍にできるだけ大きな横孔を形成することが好ましい。
【００１０】
請求項２記載の発明の手段は、請求項１記載の発明において、射出成形可能に、内筒の周壁基端部が位置する所定箇所において頂壁を貫通する縦孔を形成し、この縦孔を介して周壁基端部に欠部を形成する構成とし、この欠部を横孔とすること、頂壁の縦孔をシール部材でシールする構成とすること、にある。
【００１１】
請求項２記載の上記構成は、別部材のシール部材を用い横孔に係る構成を、射出成形と同時に形成可能とするものであり、射出成形金型で適宜に喰い切り部を構成することにより、頂壁を貫通する縦孔を形成し、この縦孔を介して内筒の周壁基端部に欠部を形成することができ、この欠部を利用して内筒の内側と外側を連通する横孔とすることができる。
【００１２】
請求項３記載の発明の手段は、請求項２記載の発明において、頂壁に形成される縦孔を、頂壁上に積載嵌合するシール板片でシールすること、にある。
【００１３】
請求項３記載の上記構成により、頂壁上に積載嵌合するシール板片で頂壁に形成される縦孔を容易に、また確実にシールすることができる。
【００１４】
請求項４記載の発明手段は、請求項１記載の発明において、
平板状の基板から内筒を垂下設した内筒体と、頂壁の周縁から外装筒を垂下設した外装体の二つの部材から構成すること、
内筒体は、射出成形可能に、内筒の周壁基端部が位置する所定箇所において、基板を貫通する縦孔を形成し、この縦孔を介して周壁基端部に欠部を形成する構成とし、この欠部を横孔とすること、
内筒体を外装体に嵌入し、基板に頂壁を積重して縦孔をシールした状態で、内筒体と外装体を嵌合固定する構成とする。
【００１５】
この請求項４記載の上記構成は、内筒体と外装体の２つの部材に分けて構成することにより、横孔に係る構成を、射出成形と同時に形成可能にするものであり、内筒体を射出成形するにあたって射出成形金型で適宜に喰い切り部を構成することにより、基板を貫通する縦孔を形成し、この縦孔を介して内筒の周壁基端部に欠部を形成することができ、この欠部を利用して内筒の内側と外側を連通する横孔とすることができる。
【００１６】
そして、基板に貫通形成される縦孔は上記欠部を射出成形可能とするためのものであるが、この縦孔は基板に積載される外装体の頂壁でシールして計量キャップ全体としてのシール性を確保する。
【００１７】
請求項５記載の発明手段は、請求項１記載の発明において、後加工で横孔を形成すること、にある。
【００１８】
請求項５記載の上記構成により、後加工により横孔を形成するので複数の部材で構成することなく、計量キャップ全体を一体成形でき、構造が簡単で、射出成形の生産性の点で有利であり、また部材間のシール性を考慮する必要がない。
【００１９】
請求項６記載の発明手段は、請求項１、２、３、４または５記載の発明において、内筒を、内周面に螺条を形成したネジキャップとすること、にある。
【００２０】
請求項６記載の上記構成により、内筒をネジキャップとして口筒部を確実にシールすることができる。
【発明の効果】
【００２１】
本発明は、上記した構成となっているので、以下に示す効果を奏する。
請求項１記載の発明にあっては、内筒の内側と外側を横孔で連通することにより、内筒の内側を含む、外装筒の内側全体で内容液を計量することができ、外観等のデザイン性を損なうことなく、計量可能な容量を十分大きく確保することができる。また、注ぐ箇所を気にする必要がなく、どの部分に内容液を注いでも、横孔を通して液レベルを一定にすることができ、所定の量の計量が可能となる。
【００２２】
請求項２記載の発明にあっては、別部材のシール部材を用い、横孔に係る構成を、射出成形と同時に形成可能とするものであり、射出成形金型で適宜に喰い切り部を構成することにより、頂壁を貫通する縦孔を形成し、この縦孔を介して内筒の周壁基端部に欠部を形成することができ、この欠部を利用して内筒の内側と外側を連通する横孔とすることができる。
【００２３】
請求項３記載の発明にあっては、頂壁上に積載嵌合するシール板片で頂壁に形成される縦孔を容易に、また確実にシールすることができる。
【００２４】
請求項４記載の発明にあっては、内筒体と外装体の２つの部材に分けて構成することにより、横孔に係る構成を、射出成形と同時に形成可能にするものであり、内筒体を射出成形するにあたって射出成形金型で適宜に喰い切り部を構成することにより、基板を貫通する縦孔を形成し、この縦孔を介して内筒の周壁基端部に欠部を形成することができ、この欠部を利用して内筒の内側と外側を連通する横孔とすることができる。
【００２５】
請求項５記載の発明にあっては、後加工により横孔を形成するので複数の部材で構成することなく、計量キャップ全体を一体成形でき、構造が簡単で、射出成形の生産性の点で有利であり、また部材間のシール性を考慮する必要がない。
【００２６】
請求項６記載の発明にあっては、内筒をネジキャップとして口筒部を確実にシールすることができる。
【発明を実施するための最良の形態】
【００２７】
以下、本発明の実施の形態を実施例に沿って図面を参照しながら説明する。
図１、２、３（ａ）、４は本発明の第１実施例の計量キャップを示し、図１は計量キャップを分解して、倒立状態で示す斜視図、図２は平面図、図３（ａ）は倒立状態での半縦断正面図、図４は底面図である。また図５は本実施例の計量キャップ１を容器本体３１の口筒部３２に螺合組み付けした状態を示す半縦断正面図である。
【００２８】
本実施例の計量キャップ１は、キャップ本体１ａと、周縁に嵌合筒片２２とシール筒片２３を付設した円板状のシール板片２１から構成される。
キャップ本体１ａは有頂２重筒状で、頂壁２から垂下設する円筒状の内筒３と、この内筒３の外側に頂壁２の周縁から垂下設する外装筒７を有する。内筒３は内周面に螺条１０を形成し、ネジキャップとしての機能を発揮する。また外装筒７の形状は台形筒状であり（図２参照）、容器本体３１の形状に合わせて、容器全体としての外観を構成する。
【００２９】
また、内筒３の等中心角度の４箇所で、周壁基端部に欠部６を形成している（図１、図３（ａ）、図４参照）。この欠部６は、図３（ｂ）の概略説明図に示されるように、射出成形金型の３つの金型部分Ｍ１、Ｍ２、Ｍ３で構成される喰い切り部により、頂壁２を貫通する縦孔５を形成し、この縦孔５を介して内筒３の周壁基端部に形成することができ、この欠部６を内筒３の周壁を貫通する横孔４とし、この横孔４により、内筒３の内側と外側を連通することができる。
【００３０】
そして、円板状のシール板片２１はこのように横孔４を形成するために、頂壁２に貫通形成した縦孔５をシールするための部材であり、その周縁部に突設した嵌合筒片２２とシール筒片２３を、頂壁２に形成した周段部２ｓと嵌合周片２ｆとに嵌合し、頂壁２上に積載嵌合組み付けして、縦孔５をシールする。
【００３１】
図５は、本実施例の計量キャップ１を容器本体３１の口筒部３２に螺合組み付けした状態を示す半縦断正面図であり、口筒部３２の上端部に中栓３３が嵌合している。この中栓３３には注出筒片３５が起立設し、プルリング３５により弱化部３４を破断し、開口して使用するが、開口後も計量キャップ１の頂壁２に垂下した２重のシール筒片９により注出筒片３５をシールして液漏れの無いように構成している。
【００３２】
なお、内筒３の外周面に付設した係止縦条８が、口筒部３２の外周面下端部に付設される係止突片３２ａに当接することにより、計量キャップ１の容器本体３１に対する周方向の位置決めがされる。
【００３３】
内容液の注出にあたってその量を計量する場合には、図３（ａ）にあるように、計量キャップ１を倒立状態にして内容液Ｌを注ぐ。この際、内容液Ｌは横孔４(欠部６）を通って内筒３の外側と内側に流動移動できるので、内筒３の内側を含む、外装筒７内全体として同じレベルで液面が上昇する。そして、外装筒７の内周面に周段状に形成される目印７ａにより所定量の内容液Ｌを計量することができる。
【００３４】
次に、図６〜図９は本発明の第２実施例の計量キャップを示すものであり、図６は計量キャップを分解して、倒立状態で示す斜視図、図７は倒立状態での半縦断正面図、図８は底面図、図９は第１実施例に係る図５と同様に、この計量キャップ１を容器本体２１の口筒部２２に螺合組み付けした状態を示す半縦断正面図である。
【００３５】
本実施例の計量キャップ１は、図６から判るように、内筒体１ｃと外装体１ｂの二つの部材から構成され、内筒体１ｃは平板状の基板２５から内筒３を垂下設したものであり、この基板２５の形状は、頂壁２の形状に合わせて台形状にしている。また外装体１ｂは台形状の頂壁２の周縁から外装筒７を垂下設したものである。
【００３６】
また、内筒３の等中心角度の４箇所で、基端部において周壁のない欠部６を形成している（図６、図７、図８参照）。この欠部６は、第１実施例でも説明したように射出成形金型で構成される喰い切り部により、基板２５を貫通する縦孔２６を形成し、この縦孔２６を介して内筒３の周壁基端部に形成することができ、この欠部６を内筒３の周壁を貫通する横孔４とし、この横孔４により、内筒３の内側と外側を連通することができる。
【００３７】
そして、基板２５に上から頂壁２を積重するように、内筒体１ｃを外装体１ｂに嵌入し、頂壁２に形成した一対の嵌合突片２８を、基板２５に形成した一対の嵌合孔２７に嵌入して、内筒体１ｃを外装体１ｂを組み付け固定する。
基板２５に貫通形成される縦孔２６は欠部６を射出成形可能とするためのものであるが、この縦孔２５は上記のように基板２５に積載される外装体１ｂの頂壁２でシールして計量キャップ１全体としてのシール性を確保する。
【００３８】
次に、図１０〜図１２は本発明の第３実施例の計量キャップを示すものであり、図１０は倒立状態での半縦断正面図、図１１は底面図、図１２は第１実施例に係る図５と同様に、この計量キャップ１を容器本体２１の口筒部２２に螺合組み付けした状態を示す半縦断正面図である。
【００３９】
本実施例は、内筒３の周壁に２箇所、後加工で横孔４を形成したものである。後加工で横孔４を形成する工程を必要とするが、一方で、計量キャップ１全体を一体成形でき、構造が簡単で、射出成形の生産性の点で有利であり、また部材間のシール性を考慮する必要がない。
【００４０】
以上、実施例に沿って本発明の実施の形態を説明したが、勿論本発明はこの実施例に限定されるものではない。
たとえば、外装筒の形状は、容器本体と合わせて外観を構成するものであり、円筒状も含め、様々な形状とすることができる。また内筒３と口筒部３２の組付けは螺合に限定されるものではなく、係止片を付設して嵌合組み付けすることもできる。
【００４１】
また、横孔の大きさ、形成個数、形成高さ位置は、計量液面、液の流動性、内筒の強度、口筒部への嵌合性、そして成形性等を考慮して決めることができる設計事項である。また、射出成形により横孔４を形成するために頂壁２や基盤２５等に形成した縦孔５、２６のシール方法についても、成形性、組み立ての手間等を考慮して様々な態様とすることができる。
【産業上の利用可能性】
【００４２】
以上説明したように本発明の計量キャップは、外観等のデザイン性を損なうことなく、計量可能な容量を十分大きくできるようにしたものであり、容器本体と組み合わせて広い分野での使用展開が期待される。
【図面の簡単な説明】
【００４３】
【図１】本発明の第１実施例の計量キャップを分解して、倒立状態で示す斜視図である。
【図２】図１の計量キャップの平面図である。
【図３】（ａ）は図１の計量キャップの倒立状態での半縦断正面図、（ｂ）は（ａ）における欠部を形成するための射出成形金型の構成を示す概略説明図である。
【図４】図１の計量キャップの底面図である。
【図５】図１の計量キャップを容器本体の口筒部に螺合組み付けした状態を示す半縦断正面図である。
【図６】本発明の第２実施例の計量のキャップを分解して、倒立状態で示す斜視図である。
【図７】図６の計量キャップの倒立状態での半縦断正面図である。
【図８】図６の計量キャップの底面図である。
【図９】図６の計量キャップを容器本体の口筒部に螺合組み付けした状態を示す半縦断正面図である。
【図１０】本発明の第３実施例の計量キャップの倒立状態での半縦断正面図である。
【図１１】図１０の計量キャップの底面図である。
【図１２】図１０の計量キャップを壜体の口筒部に螺合組み付けした状態を示す半縦断正面図である。
【符号の説明】
【００４４】
１  ；計量キャップ
１ａ；キャップ本体
１ｂ；外装体
１ｃ；内筒体
２  ；頂壁
２ｓ；周段部
２ｆ；嵌合周片
３  ；内筒
４  ；横孔
５  ；縦孔
６  ；欠部
７  ；外装筒
７ａ；目印
８  ；係止縦条
９  ；シール筒片
１０；螺条
２１；シール板片
２２；嵌合筒片
２３；シール筒片
２５；基板
２６；縦孔
２７；嵌合孔
２８；嵌合突片
３１；容器本体
３２；口筒部
３２ａ；係止突片
３３；中栓
３４；弱化部
３５；プルリング
３６；注出筒片
L  ；内容液
Ｍ（Ｍ１，Ｍ２，Ｍ３）；金型（金型部分）
【図１】
2008247471.tif 000003
【図２】
2008247471.tif 000004
【図３】
2008247471.tif 000005
【図４】
2008247471.tif 000006
【図５】
2008247471.tif 000007
【図６】
2008247471.tif 000008
【図７】
2008247471.tif 000009
【図８】
2008247471.tif 000010
【図９】
2008247471.tif 000011
【図１０】
2008247471.tif 000012
【図１１】
2008247471.tif 000013
【図１２】
2008247471.tif 000014